(57)【要約】  【課題】  冷蔵庫本体の前面開口周縁部に位置する外箱フランジと、冷蔵庫本体内を仕切る仕切りの前面板との接合部に段差が生じた場合にも、仕切りの前面板に吸着する磁石内包ガスケットの密着性を向上することにより、このような段差に起因するガスケットの密着不良によって生じる虞のある露付きや霜の発生等を防止できる構成を提供する。  【解決手段】  貯蔵庫本体の前面開口を上下複数の貯蔵室開口に仕切る仕切りと、前記貯蔵室開口を開閉する断熱扉を備え、この断熱扉の裏側周縁部には、貯蔵庫本体の外箱の内向きフランジと仕切りの前面板に吸着する棒状の可撓性磁石入りガスケットが取り付けられ、外箱の内向きフランジと仕切りの前面板との接合部を外してこの可撓性磁石による吸着を達成する。【選択図】  図７
2005308347.tif 000002
【特許請求の範囲】
【請求項１】
前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された前面開口の貯蔵庫本体と、この貯蔵庫本体の前面開口を上下複数の貯蔵室開口に仕切る仕切りと、前記貯蔵室開口を開閉する断熱扉を備え、この断熱扉の裏側周縁部には、前記外箱の内向きフランジと前記仕切りの前面板に吸着する棒状の可撓性磁石入りガスケットが取り付けられ、前記外箱の内向きフランジと前記仕切りの前面板との接合部を外して前記可撓性磁石による吸着を達成したことを特徴とする貯蔵庫の扉装置。
【請求項２】
前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された前面開口の貯蔵庫本体と、この貯蔵庫本体の前面開口を上下複数の貯蔵室開口に仕切る仕切りと、前記貯蔵室開口を開閉する断熱扉を備え、この断熱扉の裏側周縁部には、前記外箱の内向きフランジと前記仕切りの前面板に吸着する棒状の可撓性磁石入りガスケットが取り付けられ、前記仕切りの前面板に吸着する棒状の可撓性磁石は、前記外箱の内向きフランジと前記仕切りの前面板との接合部の近傍位置までの長さとしたことを特徴とする貯蔵庫の扉装置。
【請求項３】
前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された矩形状前面開口の貯蔵庫本体と、この貯蔵庫本体の矩形状前面開口を上下複数の貯蔵室開口に仕切る仕切りと、対応する前記貯蔵室開口を開閉する断熱扉を備え、この断熱扉の裏側周縁部には、前記外箱の内向きフランジに密着する縦辺と前記仕切りの前面板に吸着する横辺が接合されて環状をなす可撓性ガスケットが取り付けられ、前記縦辺には前記外箱の内向きフランジに吸着する棒状の可撓性磁石が内包され、前記横辺には前記仕切りの前面板に吸着する棒状の可撓性磁石が内包され、前記横辺に内包された可撓性磁石は、前記外箱の内向きフランジと前記仕切りの前面板との接合部に対応する部分において、前記外箱の内向きフランジに吸着する部分と前記仕切りの前面板に吸着する部分とに分離されたことを特徴とする貯蔵庫の扉装置。
【発明の詳細な説明】
【技術分野】
【０００１】
本発明は、扉の裏側に取り付けた磁石入りパッキンによって貯蔵庫本体の開口部を密閉する貯蔵庫の扉装置に関する。
【背景技術】
【０００２】
プラスチック製内箱の背面側に鋼板製外箱を結合し、これらの空間に断熱材を充填して前面開口の冷蔵庫本体を構成し、この冷蔵庫本体の前面開口を水平状態に取り付けた仕切り壁によって上下に仕切ることによって冷蔵室、切替室、冷凍室、野菜室の貯蔵室に区画形成し、これら各室の前面開口をそれぞれの断熱扉で開閉する冷蔵庫がある。これらの断熱扉の裏側周縁部にはマグネットガスケットが取り付けられ、このマグネットガスケットによって各室の前面開口が密閉される構成となっている。（例えば、特許文献１参照）。
【特許文献１】特開平１１−３１１４７８号公報
【発明の開示】
【発明が解決しようとする課題】
【０００３】
このようなものにおいて、マグネットガスケットは、冷蔵庫本体の前面開口周縁部に位置する外箱のフランジと仕切り壁の前面板とに密着するように構成されるが、仕切り壁と前面板の組み立てや冷蔵庫本体への仕切り壁の取り付け状態等によって、前記外箱フランジと仕切り壁の前面板とが一直線の接合状態（面一の接合状態）とならず、この両者間に段差が生じる場合がある。マグネットガスケットには可撓性の棒状磁石が可撓性のガスケットに収納された構成であり、この棒状磁石は可撓性であってもこの段差に一致した変形ができないため、この棒状磁石を包むガスケットが前記外箱フランジと仕切り壁の前面板とに正確に密着されず隙間が生じる。このため、この隙間から冷気漏洩が生じて貯蔵室が冷却不良になったり、この隙間部分に露つきが生じたり、貯蔵室が冷凍室の場合にはこの隙間部分に霜や氷ができる虞が生じる。
【０００４】
本発明は、このような点に鑑みて、前記外箱フランジと仕切り壁の前面板との間に段差が生じても、この段差に沿って密着できるガスケット構成とすることによって、上記のような問題を解決するものである。
【課題を解決するための手段】
【０００５】
第１の発明は、前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された前面開口の貯蔵庫本体と、この貯蔵庫本体の前面開口を上下複数の貯蔵室開口に仕切る仕切りと、前記貯蔵室開口を開閉する断熱扉を備え、この断熱扉の裏側周縁部には、前記外箱の内向きフランジと前記仕切りの前面板に吸着する棒状の可撓性磁石入りガスケットが取り付けられ、前記外箱の内向きフランジと前記仕切りの前面板との接合部を外して前記可撓性磁石による吸着を達成したことを特徴とする。
【０００６】
第２の発明は、前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された前面開口の貯蔵庫本体と、この貯蔵庫本体の前面開口を上下複数の貯蔵室開口に仕切る仕切りと、前記貯蔵室開口を開閉する断熱扉を備え、この断熱扉の裏側周縁部には、前記外箱の内向きフランジと前記仕切りの前面板に吸着する棒状の可撓性磁石入りガスケットが取り付けられ、前記仕切りの前面板に吸着する棒状の可撓性磁石は、前記外箱の内向きフランジと前記仕切りの前面板との接合部の近傍位置までの長さとしたことを特徴とする。
【０００７】
第３の発明は、前面開口部周縁に外向きフランジを備えた合成樹脂製内箱の背面側に、前記外向きフランジの裏側に接合する内向きフランジを備えた鋼板製外箱を組み合わせ、前記内箱と前記外箱との間の空間に断熱材が充填された矩形状前面開口の貯蔵庫本体と、この貯蔵庫本体の矩形状前面開口を上下複数の貯蔵室開口に仕切る仕切りと、対応する前記貯蔵室開口を開閉する断熱扉を備え、この断熱扉の裏側周縁部には、前記外箱の内向きフランジに密着する縦辺と前記仕切りの前面板に吸着する横辺が接合されて環状をなす可撓性ガスケットが取り付けられ、前記縦辺には前記外箱の内向きフランジに吸着する棒状の可撓性磁石が内包され、前記横辺には前記仕切りの前面板に吸着する棒状の可撓性磁石が内包され、前記横辺に内包された可撓性磁石は、前記外箱の内向きフランジと前記仕切りの前面板との接合部に対応する部分において、前記外箱の内向きフランジに吸着する部分と前記仕切りの前面板に吸着する部分とに分離されたことを特徴とする。
【発明の効果】
【０００８】
第１発明では、前記外箱の内向きフランジと前記仕切りの前面板との接合部に対応する部分には、前記可撓性磁石を入れていない。つまり、この接合部に対応する部分には、前記可撓性磁石を除いているため、この部分のガスケットの柔軟性は高い。このため、外箱の内向きフランジと仕切りの前面板との接合部に段差が生じた場合にも、この差部には磁石が対応しないので、この段差部にガスケットが馴染み易くなり、この段差部及びその両側でのガスケットの密着が良好となる。
【０００９】
第２発明では、仕切りの前面板に吸着する棒状の可撓性磁石は、外箱の内向きフランジと仕切りの前面板との接合部の近傍位置までの長さに制限したため、この外箱の内向きフランジと仕切りの前面板との接合部に段差が生じた場合にも、この段差部には仕切りの前面板に吸着する磁石が対応しないので、この段差部におけるガスケットの柔軟性は高い。このため、この段差部にガスケットが馴染み易くなり、この段差部及びその両側でのガスケットの密着が良好となる。
【００１０】
また第３発明では、仕切りの前面板に吸着する棒状の可撓性磁石は、外箱の内向きフランジに吸着する部分と、仕切りの前面板に吸着する部分とに分割されるため、接合部の両側で可撓性磁石による吸着が得られ、外箱の内向きフランジと仕切りの前面板との接合部に段差が生じた場合にも、この段差部に沿ってガスケットが馴染み易く、しかもこの段差部の両側では磁石による密着が得られるため、この段差部及びその両側におけるガスケットの密着が良好となる。このため、この段差部が生じた場合のガスケットの密着不良も解消される。
【発明を実施するための最良の形態】
【００１１】
本発明は、貯蔵庫本体の前面開口を上下複数の貯蔵室開口に仕切る仕切りと、前記貯蔵室開口を開閉する断熱扉を備え、この断熱扉の裏側周縁部には、貯蔵庫本体の外箱の内向きフランジと仕切りの前面板に吸着する棒状の可撓性磁石入りガスケットが取り付けられ外箱の内向きフランジと仕切りの前面板との接合部を外してこの可撓性磁石による吸着を達成したものである。以下に本発明の実施形態を記載する。
【実施例１】
【００１２】
次に、本発明の実施の形態について説明する。各図は本発明の実施形態を示しており、図１は本発明の冷蔵庫の正面図、図２は本発明の冷蔵庫の縦断側面図、図３は本発明の冷蔵庫本体の正面図、図４は本発明冷蔵庫の仕切り前端部と断熱扉部分の縦断側面図、図５は本発明の冷蔵庫本体の前面開口部と扉部分の断面図、図６は本発明の冷蔵庫の仕切りと冷蔵庫本体との接合部に生じた段差の説明断面図、図７は本発明の仕切りに対応するガスケット内包可撓性磁石の配置状態の説明図である。
【００１３】
本発明の貯蔵庫を図に基づき説明する。ここで、１は本発明の貯蔵庫の一つである冷蔵庫を示しており、前面開口２Ｄの本体２内を区画して複数の貯蔵室を形成し、これら各貯蔵室の前面は扉で開閉できる構成である。貯蔵庫本体である冷蔵庫本体２は、前面開口部２Ｄ周縁に外向きフランジ２Ａ１を備えた合成樹脂製の内箱（内壁板）２Ａと、外向きフランジ２Ａ１の裏側に接合する内向きフランジ２Ｂ１を備えた鋼板製の外箱（外壁板）２Ｂとを備え、この内箱（内壁板）２Ａの背面側に外箱（外壁板）２Ｂを組み合わせ、内箱（内壁板）２Ａと外箱（外壁板）２Ｂとの間の空間に発泡断熱材２Ｃを充填した矩形状前面開口２Ｄを形成した断熱構造である。
【００１４】
外箱（外壁板）２Ｂの内向きフランジ２Ｂ１の裏側には、内向きフランジ２Ｂ１と連続して屈曲にて溝７６が形成され、内箱（内壁板）２Ａの外向きフランジ２Ａ１は、その先端がこの溝７６に挿入されて内向きフランジ２Ｂ１の裏側に当接状態である。そして、内向きフランジ２Ｂ１の表面への露つき防止のために、溝７６の外側には電気ヒータ又は後述の冷凍システムの高温冷媒パイプで構成された発熱体７７が矩形状前面開口２Ｄを巡るように収納されている。
【００１５】
冷蔵庫本体２の矩形状前面開口２Ｄは、仕切り８０によって上下複数の貯蔵室開口に仕切られ、この仕切り８０によって冷蔵庫本体２内には、複数の貯蔵室として上から冷蔵室３、野菜室４、上冷凍室５と製氷室７、下冷凍室６がそれぞれ区画形成されている。上冷凍室５と下冷凍室６とはその間口部分の奥側では上下に連通した状態であり、このため、上冷凍室５と下冷凍室６との間の仕切り８０は、冷蔵庫本体２の奥まで延びた状態ではなく、冷蔵庫本体２の矩形状前面開口部２Ｄのみに存在する構成である。このように、仕切り８０は冷蔵庫本体２の奥まで延びた状態ではなく、冷蔵庫本体２の矩形状前面開口部２Ｄのみに存在する構成でもよい。また、冷蔵室３内の底部にはその上方の冷蔵室３と区画板（区画壁）８にて区画された特定低温室９が設けられている。
【００１６】
冷蔵室３の前面開口は、冷蔵庫本体２の一側部にヒンジ装置にて横方向に回動して開閉される回動式の冷蔵室扉１０にて閉塞される。野菜室４の前面開口は、野菜室４内に設けた左右のレール又はローラ装置２１によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１７】
製氷室７内には、上部に自動製氷機１８を設け、その下部に貯氷容器１９を配置している。貯氷容器１９は、野菜室４と同様に、製氷室７内の左右壁に設けた左右のレールに対してそれぞれ前後方向へ引き出し可能に支持されており、製氷室７の前面開口を開閉する引き出し式扉１４と共に前方へ引き出される仕組みである。２０は自動製氷機１８へ供給する製氷用水を貯める給水容器であり、冷蔵室３内において特定低温室９の横に形成した小室に配置されており、冷蔵室３の前面扉１０を開いて前方へ取り出し自在である。製氷用水は給水容器２０からポンプによって吸い上げられて給水パイプを介して自動製氷機１８の製氷皿２２へ供給される。
【００１８】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５、下冷凍室６及び製氷室７へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００１９】
このような構成において、各室の温度は、冷蔵室３が約３〜４℃、野菜室４が約４〜６℃に保たれ、上冷凍室５と下冷凍室６と更に製氷室７が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００２０】
第２蒸発器（冷却器）３０で冷却した冷気は、第２送風機３２によって冷蔵室３と野菜室４とに循環される。その経路は、第２送風機３２を通過した冷気は、一部が冷気ダクト３５を通って冷気吹き出し口３６から吹き出す。また第２送風機３２を通過した冷気の他の部分は、冷蔵室３の背面板４０の裏側の左右の冷気通路４３Ａ、４３Ｂを通って、冷蔵室３の背面板４０に形成した冷気吹き出し口３９から冷蔵室３へ吹き出し、冷気通路４３Ａ、４３Ｂを更に下方へ流れつつ一部分の冷気が冷気吹き出し口３９Ａから特定低温室９へ吹き出す。
【００２１】
左右の冷気通路４３Ａ、４３Ｂを更に下方へ流れた冷気は、冷気出口５０から冷蔵室３と野菜室４との間に形成した冷気通路５１へ供給される。冷気通路５１は、冷蔵室３と野菜室４との間の仕切り８０と野菜室４の天井板５３との間に形成される。仕切り８０は冷蔵室３の底壁を構成しており、野菜室４の天井板５３は、野菜容器１５の上面開口を略塞ぐ位置に配置されており、野菜室４の前方へ取り外し可能に野菜室４の左右壁に支持している。
【００２２】
冷気通路５１へ供給された冷気は、冷気通路５１を前方へ流れて前端の出口５４から野菜室４へ流下し、野菜容器１５と扉１１との間に形成された空間から野菜容器１５の周囲に形成された空間を通って、野菜室４の背面に形成した冷気吸い込み口５５から吸い込まれる。冷蔵室３の冷気の一部は、仕切り８０に形成した吸い込み口５６から冷気通路５１へ流入する。
【００２３】
冷蔵室３の裏側の左右冷気通路４３Ａ、４３Ｂの間には、背面板４０と本体２との間に冷気帰還通路５７が形成されている。冷蔵室３と特定低温室９を冷却した冷気は、背面板４０の下部に形成した冷気吸い込み口又は、仕切り８０の後部に形成した冷気吸い込み口から冷気帰還通路５７へ流れて、第２蒸発器（冷却器）３０の下側へ流入し、再び第２蒸発器（冷却器）３０によって冷却される。
【００２４】
野菜室４の冷気は、冷気吸い込み口５５から吸い込まれて冷気帰還通路５７へ流れ、第２蒸発器（冷却器）３０の下側へ流入して、再び第２蒸発器（冷却器）３０によって冷却される循環をする。
【００２５】
冷気可変量供給通路４３Ｂには、操作レバー６２によってバッフル６３を動かして通路開閉又は供給冷気量増減を行う切り換え装置６０を設け、切り換え装置６０による通路閉止又は供給冷気量減少状態において、野菜室４は高い貯蔵温度状態となり、切り換え装置６０による通路開放又は供給冷気量増加状態において、野菜室４は低い貯蔵温度状態となる。
【００２６】
対応する貯蔵室、即ち冷蔵室３、野菜室４、上冷凍室５、下冷凍室６、製氷室７のそれぞれの前面開口を開閉する断熱扉１０、１１、１２、１３、１４の裏側周縁部には、外箱（外壁板）２Ｂの内向きフランジ２Ｂ１に密着する縦辺７１と仕切り８０の前面板８１に密着する横辺７２が接合されて、矩形状に環状をなす可撓性ガスケット７０が取り付けられている。
【００２７】
ガスケット７０は、軟質の合成樹脂を押し出し成形によって複数の中空部を有する紐状に形成され、この中空部のうち外側の中空部には、平坦な棒状の可撓性磁石（通称、ゴム磁石）７３が収納され、縦辺７１と横辺７２とは略４５°の角度でもって溶着部７０Ａにて溶着されて全体として矩形状をなし、ガスケット７０の基部７４に形成した鏃状の取り付け基部７４が、断熱扉１０、１１、１２、１３、１４の裏側周縁部に形成した取り付け溝７５に押し圧挿入されて保持されている。
【００２８】
本発明は、断熱扉１０、１１、１２、１３、１４と仕切り８０との関係において適用できるため、その代表として、本発明を断熱扉１１、１４と仕切り８０との関係において説明することとする。
【００２９】
仕切り８０は、上壁８０Ａと下壁８０Ｂとの間に断熱材８０Ｃが充填された断熱構造であり、その前面板８１に対応するガスケット７０の可撓性磁石７３が前面板８１に吸着する。前面板８１は、可撓性磁石７３が吸着するように磁性の単一の鋼板製とする場合と、合成樹脂製の前板の裏側に磁性の鋼板を重ね合わせた複合構成であってもよい。前面板８１の表面への露つき防止のために、前面板８１の裏側には電気ヒータ又は前述の冷凍システムの高温冷媒パイプで構成された発熱体７８が取り付けられている。７９は発熱体７８を覆って前面板８１の裏側に配置した断熱材である。
【００３０】
仕切り８０の前面板８１は、その左右両端が外箱（外壁板）２Ｂの内向きフランジ２Ｂ１の裏側に当接した状態で溝７６に挿入状態である。このため、外箱（外壁板）２Ｂの内向きフランジ２Ｂ１と仕切り８０の前面板８１との接合部８２において、内向きフランジ２Ｂ１の前面と前面板８１の前面とが面一状態で一致して、ガスケット７０が同一平面上で密着できるようにすることが必要である。このため、前面板８１の左右両端には、内向きフランジ２Ｂ１の厚さに相当して後方へ入り込んだ屈曲部８１Ａを形成している。屈曲部８１Ａは、外箱（外壁板）２Ｂの内向きフランジ２Ｂ１と前面板８１の左右両端との接合部８２に生じる隙間を小さくするためにも役立つ。
【００３１】
仕切り８０は、冷蔵庫本体２の前方から矩形状前面開口部２Ｄへ向けて挿入されて冷蔵庫本体２に取り付けられるが、この取り付け状態によって、又は前面板８１の屈曲部８１Ａの形状によって、図６に示すような段差Ｔが前面板８１と内向きフランジ２Ｂ１との接合部８２に生じることがある。
【００３２】
一般的には、可撓性ガスケット７０の縦辺７１と横辺７２とは略４５°の角度でもって溶着部７０Ａにて溶着されて全体として矩形状をなしており、この縦辺７１の中空部に収納された縦辺７１の可撓性ガスケット７０Ｃの端部と、横辺７２の中空部に収納された横辺７２の可撓性ガスケットの端部は、溶着部７０Ａに沿って略４５°の角度をなして近接又は当接するようにガスケット７０の中空部に収納されている。
【００３３】
このため、横辺７２の可撓性ガスケットである仕切り８０の前面板８１に吸着する可撓性磁石７３Ａは、接合部８２の上を通り越した長さでもって、仕切り８０の前面板８１と内向きフランジ２Ｂ１とに吸着する状態となる。この場合、上記のような段差Ｔが生じると、前面板８１に対応するガスケット７０内の磁石７３Ａの左右端部は、この段差Ｔに沿った屈曲ができないため、この段差Ｔ部分において、前面板８１とガスケット７０との間に隙間が生じ易く、この隙間によってこの部分に露付きや霜の発生等が懸念される。
【００３４】
本発明では、このような問題解決のために、この接合部８２の真上に対応する部分には可撓性磁石７３を配置していないので、仕切り８０に密着するガスケット７０内の可撓性磁石７３が存在しない状態である。つまり、この接合部８２に対応する部分には、可撓性磁石７３を除いているため、この部分のガスケット７０の柔軟性は高い。このため、外箱２Ｂの内向きフランジ２Ｂ１と仕切り８０の前面板８１との接合部８２に段差Ｔが生じた場合にも、この差部Ｔには可撓性磁石７３が対応しないので、この接合部８２に生じる段差部にガスケット７０が馴染み易くなり、この段差Ｔ部及びその両側でのガスケット７０の密着が良好となる。
【００３５】
その具体的な一つの構成として、図７に示すように、仕切り８０の前面板８１に吸着する棒状の可撓性磁石７３は、外箱（外壁板）２Ｂの内向きフランジ２Ｂ１と仕切り８０の前面板８１との接合部８２の近傍位置までの長さとしている。このため、内向きフランジ２Ｂ１と前面板８１との接合部８２が左右に対称に存在する場合は、仕切り８０の前面板８１に吸着する棒状の可撓性磁石７３の長さは、左右両側の接合部８２相互間の長さよりも若干短い長さとなる。
【００３６】
仕切り８０の前面板８１に対応する可撓性磁石７３がこのような状態を保つようにするために、例えば、この可撓性磁石７３をガスケット７０の中空部の所定位置に接着材にて接着保持する方法がある。
【００３７】
これによって、仕切り８０の前面板８１に対応する棒状又は紐状の可撓性磁石７３Ａは、接合部８２の近傍位置まで前面板８１に吸着し、また内向きフランジ２Ｂ１に対応する棒状又は紐状の可撓性磁石７３Ｃは内向きフランジ２に吸着することとなる。このため、接合部８２の外側部分の領域、即ち、接合部８２と溶着部７０Ａとの間の領域には可撓性磁石７３が存在しなくても、仕切り８０の前面板８１と内向きフランジ２Ｂ１とに可撓性磁石７３Ａ、７３Ｃがそれぞれ吸着することによって、前記領域に対応するガスケット７０はこの領域に密着するようになる。そして、上記のように接合部８２に段差Ｔが生じても、可撓性磁石７３が存在しないガスケット７０部分がこの段差Ｔに沿って変形するようになり、この段差Ｔ部分に密着できる状態となる。このため、上記のような隙間によって生じる虞のある露付きや霜の発生等を防止できることとなる。
【実施例２】
【００３８】
次に、本発明の実施例２について説明する。図８は本発明の実施例２として、仕切り８０に対応するガスケット７０に内包した可撓性磁石７３の配置状態の説明図である。図１乃至図７と同符合部分は同一機能部分を示している。そして、冷蔵庫１及びその仕切り８０の部分は上記の構成と同様である。
【００３９】
一般的には、可撓性ガスケット７０の縦辺７１と横辺７２とは略４５°の角度でもって溶着部７０Ａにて溶着されて全体として矩形状をなしており、この縦辺７１の中空部に収納された縦辺７１の可撓性ガスケット７０Ｃの端部と、横辺７２の中空部に収納された横辺７２の可撓性ガスケットの端部は、溶着部７０Ａに沿って略４５°の角度をなして近接又は当接するようにガスケット７０の中空部に収納されている。
【００４０】
このため、横辺７２の可撓性ガスケットである仕切り８０の前面板８１に吸着する可撓性磁石７３Ａは、接合部８２の上を通り越した長さでもって、仕切り８０の前面板８１と内向きフランジ２Ｂ１とに吸着する状態となる。この場合、上記のような段差Ｔが生じると、前面板８１に対応するガスケット７０内の磁石７３Ａの左右端部は、この段差Ｔに沿った屈曲ができないため、この段差Ｔ部分において、前面板８１とガスケット７０との間に隙間が生じ易く、この隙間によってこの部分に露付きや霜の発生等が懸念される。
【００４１】
このような問題解決のために、実施例２の構成は以下のとおりである。即ち、断熱扉の裏側周縁部には、外箱（外壁板）２Ｂの内向きフランジ２Ｂ１に密着する縦辺７１と仕切り８０の前面板８１に吸着する横辺７２が接合されて環状をなす可撓性ガスケット７０が取り付けられ、縦辺７１には外箱（外壁板）２Ｂの内向きフランジ２Ｂ１に吸着する棒状の可撓性磁石７３が内包され、横辺７２には仕切り８０の前面板８１に吸着する棒状の可撓性磁石７３が内包され、横辺７２に内包された可撓性磁石７３は、外箱（外壁板）２Ｂの内向きフランジ２Ｂ１と仕切り８０の前面板８１との接合部８２に対応する部分において、外箱（外壁板）２Ｂの内向きフランジ２Ｂ１に吸着する部分７３Ａと仕切り８０の前面板８１に吸着する部分７３Ｂとに分離された構成である。
【００４２】
横辺７２に内包された可撓性磁石７３のうち、仕切り８０の前面板８１に吸着する可撓性磁石７３Ａと、外箱（外壁板）２Ｂの内向きフランジ２Ｂ１に吸着する可撓性磁石７３Ｂとが、このような状態を保つようにするために、例えば、この可撓性磁石７３Ａと７３Ｂをガスケット７０の中空部の所定位置に接着材にて接着保持する方法がある。
【００４３】
これによって、仕切り８０の前面板８１に対応する棒状の可撓性磁石７３は、接合部８２を境にして７３Ａと７３Ｂに左右に分割されているため、前面板８１に対応する部分は接合部８２の近傍位置まで可撓性磁石７３Ａが前面板８１に吸着し、また可撓性磁石７３Ｂは内向きフランジ２Ｂ１に吸着することとなり、接合部８２の両側で可撓性磁石７３Ａ、７３Ｂによる吸着が得られる。
【００４４】
実施例１では、接合部８２の外側部分の領域、即ち、接合部８２と溶着部７０Ａとの間の領域には可撓性磁石７３が存在しない状態であったが、この実施例２では、可撓性磁石７３Ｂが存在するため、ガスケット７０の横辺７２による密着が更に良好となる。そして上記のように接合部８２に段差Ｔが生じても、可撓性磁石７３Ａと７３Ｂの間では、可撓性磁石が存在しないガスケット７０部分によって段差Ｔに沿った変形ができることとなり、この段差Ｔ部分にガスケット７０が密着し易い状態となる。したがって、上記のような隙間によって生じる虞のある露付きや霜の発生等を防止できることとなる。
【００４５】
上記の各実施例では、仕切り８０の前面板８１が外箱（外壁板）２Ｂの内向きフランジ２Ｂ１よりも前方へ突出した状態の段差Ｔを図示したが、仕切り８０の前面板８１が外箱（外壁板）２Ｂの内向きフランジ２Ｂ１よりも後方へ窪んだ状態で段差Ｔが生じる場合でも本発明は有効であり、上記同様の作用効果が得られるものである。
【産業上の利用可能性】
【００４６】
上記のように、外箱の内向きフランジと仕切りの前面板との接合部を外して可撓性磁石による吸着を達成することにより、冷蔵庫、冷凍庫、冷凍冷蔵庫、温蔵庫等、貯蔵庫の形態の如何に拘わらず、本発明の技術的範囲を逸脱しない限り種々の変更が考えられ、本発明はそれに係る種々の実施形態を包含するものである。
【図面の簡単な説明】
【００４７】
【図１】本発明の冷蔵庫の正面図である。（実施例１）
【図２】本発明の冷蔵庫の縦断側面図である。（実施例１）
【図３】本発明の冷蔵庫本体の正面図である。（実施例１）
【図４】本発明冷蔵庫の仕切り前端部と断熱扉部の縦断側面図である。（実施例１）
【図５】本発明の冷蔵庫本体の前面開口部と扉部分の断面図である。（実施例１）
【図６】本発明の冷蔵庫の仕切りと冷蔵庫本体との接合部に生じた段差の説明断面図である。（実施例１）
【図７】本発明の仕切りに対応するガスケット内包可撓性磁石の配置状態の説明図である。（実施例１）
【図８】本発明の仕切りに対応するガスケット内包可撓性磁石の配置状態の説明図である。（実施例２）
【符号の説明】
【００４８】
１・・・冷蔵庫（貯蔵庫）
２・・・冷蔵庫本体（貯蔵庫本体）
２Ａ・・内箱（内壁板）
２Ａ１・・外向きフランジ
２Ｂ・・外箱（外壁板）
２Ｂ１・・内向きフランジ
２Ｃ・・断熱材
３・・・冷蔵室
４・・・野菜室
５・・・冷凍室
６・・・冷凍室
７・・・製氷室
１０〜１４・・・断熱扉
２４・・電動圧縮機
７０・・ガスケット
７１・・縦辺
７２・・横辺
７３・・可撓性磁石
８０・・仕切り
８１・・前面板
８２・・接合部
【図１】
2005308347.tif 000003
【図２】
2005308347.tif 000004
【図３】
2005308347.tif 000005
【図４】
2005308347.tif 000006
【図５】
2005308347.tif 000007
【図６】
2005308347.tif 000008
【図７】
2005308347.tif 000009
【図８】
2005308347.tif 000010